(57)【要約】  移動局（１）は、活性化された第１および第２のアップリンクキャリアを同時に使用して基地局（２）と通信する能力を有する。移動局（１）は、パワーヘッドルーム報告を基地局（２）に送信するよう構成されている。ここで、パワーヘッドルーム報告は、第１のアップリンクキャリアにおける移動局（１）の最大送信電力と第２のアップリンクキャリアにおける移動局（１）の最大送信電力との差分電力を示す情報要素（ΔPPUSCH）を含む。これにより、例えば、アップリンク・キャリアアグリゲーションに適したパワーヘッドルーム報告（PHR）の改良を提供できる。
2014115196.tif 000002
【特許請求の範囲】
【請求項１】
移動局であって、
活性化された第１および第２のアップリンクキャリアを同時に使用して基地局と通信することが可能な無線通信手段と、
パワーヘッドルーム報告を前記基地局に送信する制御手段と、
を備え、
前記パワーヘッドルーム報告は、前記第１のアップリンクキャリアにおける前記移動局の第１の最大送信電力と前記第２のアップリンクキャリアにおける前記移動局の第２の最大送信電力との差分電力を示す第１の情報要素を含む、
移動局。
【請求項２】
前記パワーヘッドルーム報告は、前記第１の最大送信電力を示す情報要素及び前記第２の最大送信電力を示す情報要素を共に含まない、請求項１に記載の移動局。
【請求項３】
前記パワーヘッドルーム報告は、前記第１のアップリンクキャリアにおける第１のパワーヘッドルームレベルを示す情報要素及び前記第２のアップリンクキャリアにおける第２のパワーヘッドルームレベルを示す情報要素をさらに含む、請求項１又は２に記載の移動局。
【請求項４】
前記パワーヘッドルーム報告は、
前記第１および第２のアップリンクキャリアを含むNcell個のアップリンクキャリアに関し、
前記第１の情報要素に加えて、前記第１および第２のアップリンクキャリアを除く（Ncell - 2）個のアップリンクキャリアの各々における前記移動局の最大送信電力と前記第１の最大送信電力との差分電力を示す合計（Ncell - 2）個の情報要素をさらに含む、
請求項１〜３のいずれか１項に記載の移動局。
【請求項５】
移動局におけるパワーヘッドルーム報告の送信方法であって、
活性化された第１および第２のアップリンクキャリアに関するパワーヘッドルーム報告を基地局に送信することを備え、
前記パワーヘッドルーム報告は、前記第１のアップリンクキャリアにおける前記移動局の第１の最大送信電力と前記第２のアップリンクキャリアにおける前記移動局の第２の最大送信電力との差分電力を示す第１の情報要素を含む、
パワーヘッドルーム報告の送信方法。
【請求項６】
前記パワーヘッドルーム報告は、前記第１の最大送信電力を示す情報要素及び前記第２の最大送信電力を示す情報要素を共に含まない、請求項５に記載の方法。
【請求項７】
前記パワーヘッドルーム報告は、前記第１のアップリンクキャリアにおける第１のパワーヘッドルームレベルを示す情報要素及び前記第２のアップリンクキャリアにおける第２のパワーヘッドルームレベルを示す情報要素をさらに含む、請求項５又は６に記載の方法。
【請求項８】
前記パワーヘッドルーム報告は、
前記第１および第２のアップリンクキャリアを含むNcell個のアップリンクキャリアに関し、
前記第１の情報要素に加えて、前記第１および第２のアップリンクキャリアを除く（Ncell - 2）個のアップリンクキャリアの各々における前記移動局の最大送信電力と前記第１の最大送信電力との差分電力を示す合計（Ncell - 2）個の情報要素をさらに含む、
請求項５〜７のいずれか１項に記載の方法。
【請求項９】
基地局であって、
活性化された第１および第２のアップリンクキャリアを同時に使用して移動局と通信することが可能な無線通信手段と、
パワーヘッドルーム報告を前記移動局から受信する制御手段と、
を備え、
前記パワーヘッドルーム報告は、前記第１のアップリンクキャリアにおける前記移動局の第１の最大送信電力と前記第２のアップリンクキャリアにおける前記移動局の第２の最大送信電力との差分電力を示す第１の情報要素を含む、
基地局。
【請求項１０】
前記パワーヘッドルーム報告は、前記第１の最大送信電力を示す情報要素及び前記第２の最大送信電力を示す情報を共に含まない、請求項９に記載の基地局。
【請求項１１】
前記パワーヘッドルーム報告は、前記第１のアップリンクキャリアにおける第１のパワーヘッドルームレベルを示す情報要素及び前記第２のアップリンクキャリアにおける第２のパワーヘッドルームレベルを示す情報要素をさらに含む、請求項９又は１０に記載の基地局。
【請求項１２】
前記パワーヘッドルーム報告は、
前記第１および第２のアップリンクキャリアを含むNcell個のアップリンクキャリアに関し、
前記第１の情報要素に加えて、前記第１および第２のアップリンクキャリアを除く（Ncell - 2）個のアップリンクキャリアの各々における前記移動局の最大送信電力と前記第１の最大送信電力との差分電力を示す合計（Ncell - 2）個の情報要素をさらに含む、
請求項９〜１１のいずれか１項に記載の基地局。
【請求項１３】
前記制御手段は、前記パワーヘッドルーム報告に基づいてアップリンク無線リソースを前記移動局に割り当てることを含むスケジューリングを行う、請求項９〜１２のいずれか１項に記載の基地局。
【請求項１４】
前記スケジューリングは、前記第１及び第２のアップリンクキャリアの少なくとも一方において前記移動局に追加的に割当て可能な無線リソース量を計算することを含む、請求項１３に記載の基地局。
【請求項１５】
前記スケジューリングは、アップリンクキャリアｋにおいて前記移動局に追加的に割り当て可能なアップリンク無線リソース量RRB, kを以下の２つの式に従って計算することを含み、
【数９】
2014115196.tif 000011
【数１０】
2014115196.tif 000012
Ncellはアグリゲーションされたアップリンクキャリア数を示し、PCMAX, kはアップリンクキャリアkにおける前記移動局の最大送信電力を示し、PHkはアップリンクキャリアkのパワーヘッドルームレベルを示し、PCMAX, mはアップリンクキャリアｍにおける前記移動局の最大送信電力を示し、PHmはアップリンクキャリアｍのパワーヘッドルームレベルを示す、
請求項１３又は１４に記載の基地局。
【請求項１６】
基地局におけるパワーヘッドルーム報告の受信方法であって、
活性化された第１および第２のアップリンクキャリアに関するパワーヘッドルーム報告を移動局から受信することを備え、
前記パワーヘッドルーム報告は、前記第１のアップリンクキャリアにおける前記移動局の第１の最大送信電力と前記第２のアップリンクキャリアにおける前記移動局の第２の最大送信電力との差分電力を示す第１の情報要素を含む、
パワーヘッドルーム報告の受信方法。
【請求項１７】
前記パワーヘッドルーム報告は、前記第１の最大送信電力を示す情報要素及び前記第２の最大送信電力を示す情報要素を共に含まない、請求項１６に記載の方法。
【請求項１８】
前記パワーヘッドルーム報告は、前記第１のアップリンクキャリアにおける第１のパワーヘッドルームレベルを示す情報要素及び前記第２のアップリンクキャリアにおける第２のパワーヘッドルームレベルを示す情報要素をさらに含む、請求項１６又は１７に記載の方法。
【請求項１９】
前記パワーヘッドルーム報告は、
前記第１および第２のアップリンクキャリアを含むNcell個のアップリンクキャリアに関し、
前記第１の情報要素に加えて、前記第１および第２のアップリンクキャリアを除く（Ncell - 2）個のアップリンクキャリアの各々における前記移動局の最大送信電力と前記第１の最大送信電力との差分電力を示す合計（Ncell - 2）個の情報要素をさらに含む、
請求項１６〜１８のいずれか１項に記載の方法。
【請求項２０】
前記パワーヘッドルーム報告に基づいてアップリンク無線リソースを前記移動局に割り当てることを含むスケジューリングを行うことをさらに備える、請求項１６〜１９のいずれか１項に記載の方法。
【請求項２１】
前記スケジューリングは、前記第１及び第２のアップリンクキャリアの少なくとも一方において前記移動局に追加的に割当て可能な無線リソース量を計算することを含む、請求項２０に記載の方法。
【請求項２２】
移動局におけるパワーヘッドルーム報告の送信方法をコンピュータに行わせるためのプログラムを格納した非一時的なコンピュータ可読媒体であって、
前記送信方法は、活性化された第１および第２のアップリンクキャリアに関するパワーヘッドルーム報告を基地局に送信することを含み、
前記パワーヘッドルーム報告は、前記第１のアップリンクキャリアにおける前記移動局の第１の最大送信電力と前記第２のアップリンクキャリアにおける前記移動局の第２の最大送信電力との差分電力を示す情報要素を含む、
コンピュータ可読媒体。
【請求項２３】
基地局におけるパワーヘッドルーム報告の受信方法をコンピュータに行わせるためのプログラムを格納した非一時的なコンピュータ可読媒体であって、
前記受信方法は、活性化された第１および第２のアップリンクキャリアに関するパワーヘッドルーム報告を移動局から受信することを含み、
前記パワーヘッドルーム報告は、前記第１のアップリンクキャリアにおける前記移動局の第１の最大送信電力と前記第２のアップリンクキャリアにおける前記移動局の第２の最大送信電力との差分電力を示す情報要素を含む、
コンピュータ可読媒体。
【請求項２４】
移動局であって、
第１および第２のアップリンクキャリアを含む複数のアップリンクキャリアのアップリンク・キャリアアグリゲーションをサポートする無線通信手段と、
前記アップリンク・キャリアアグリゲーションが行われているときのパワーヘッドルーム報告を基地局に送信する制御手段と、
を備え、
前記パワーヘッドルーム報告は、
前記第１のアップリンクキャリアにおける第１のパワーヘッドルームレベルを示す情報要素、及び前記第２のアップリンクキャリアにおける第２のパワーヘッドルームレベルを示す情報要素を共に含むが、
前記第１のアップリンクキャリアにおける前記移動局の最大送信電力を示す情報要素、及び前記第２のアップリンクキャリアにおける前記移動局の最大送信電力を示す情報要素を共に含まない、
移動局。
【請求項２５】
第１および第２のアップリンクキャリアを含む複数のアップリンクキャリアのアップリンク・キャリアアグリゲーションをサポートする無線通信手段と、
前記アップリンク・キャリアアグリゲーションが行われているときのパワーヘッドルーム報告を移動局から受信する制御手段と、
を備え、
前記パワーヘッドルーム報告は、
前記第１のアップリンクキャリアにおける第１のパワーヘッドルームレベルを示す情報要素、及び前記第２のアップリンクキャリアにおける第２のパワーヘッドルームレベルを示す情報要素を共に含むが、
前記第１のアップリンクキャリアにおける前記移動局の最大送信電力を示す情報要素、及び前記第２のアップリンクキャリアにおける前記移動局の最大送信電力を示す情報要素を共に含まない、
基地局。
【発明の詳細な説明】
【技術分野】
【０００１】
本発明は、無線通信に関し、特に、複数のアップリンクキャリアを用いる無線通信システムにおけるパワーヘッドルーム報告に関する。
【背景技術】
【０００２】
3GPP Release 10（LTE-Advanced）は、physical uplink shared channel（PUSCH）及びphysical uplink control channel（PUCCH）を同一サブフレームにおいて同時に送信するモードを規定している。このモードでは、移動局（user equipment(UE)）は、同一サブフレームにおいてPUSCH及びPUCCHを同時に送信することが許可される。PUSCHは、主にユーザデータの送信に使用されるアップリンク物理チャネルである。PUCCHは、channel quality information（CQI）、rank indicator（RI）、cyclic redundancy Check（CRC）結果、hybrid automatic repeat request acknowledgement（HARQ-ACK）等のレイヤ１／レイヤ２制御信号の送信に使用されるアップリンク物理チャネルである。【０００３】
また、3GPP Release 10は、アップリンク若しくはダウンリンク又はこれら両方において、複数のキャリアを同時に使用して移動局が基地局（eNB）と通信するキャリアアグリゲーション（carrier aggregation (CA)）を規定している。キャリアアグリゲーション時に使用される各キャリアはコンポーネントキャリア（component carrier （CC））と呼ばれる。つまり、CAが用いられる場合、複数のサービビングセルが存在し、各サービングセルは各コンポーネントキャリアに対応する。eNBとUEの間のRRCコネクションは１つのサービングセル、つまりプライマリ・サービングセル、において提供される。プライマリ・サービングセルのコンポーネントキャリアは、プライマリ・コンポーネントキャリア（primary component carrier (PCC)）と呼ばれる。その他のサービビングセルはセカンダリ・サービングセルと呼ばれ、セカンダリ・サービングセルのコンポーネントキャリアは、セカンダリ・コンポーネントキャリア（secondary component carrier (SCC)）と呼ばれる。アップリンクPCCでは、PUCCHが送信される。一方、アップリンクSCCでは、PUCCHは送信されない。１又は複数のセカンダリ・サービングセル（SCC）は、必要に応じて活性化（追加）及び非活性化（削除）される。1つのコンポーネントキャリアのシステム帯域幅は最大20 MHzである。3GPP Release10は、最大5コンポーネントキャリアまでのCAを仕様化しているため、アップリンク帯域及びダウンリンク帯域をそれぞれ最大100 MHzまで拡張できる。【０００４】
さらに、3GPP Release 10では、アップリンクCAをサポートし且つPUSCH及びPUCCHの同時送信をサポートするUEは、拡張パワーヘッドルーム報告（extended Power Headroom Reporting(extended PHR)）を行う（非特許文献１のセクション5.4.6、及び6.1.3.6を参照）。extended PHRは、活性化された複数のアップリンク・コンポーネントキャリアの各々に関するUEの最大送信電力情報PCMAX, c(k) 及びパワーヘッドルームレベル情報PHc(k)を含む。【０００５】
より具体的に述べると、PUSCH及びPUCCHの同時送信に対処するために２種類のパワーヘッドルームが定義されている。タイプ１のパワーヘッドルームは、アップリンク・コンポーネントキャリアにおいてPUSCHのみが送信される場合に対応し、以下の式（１）により計算される。
【数１】
2014115196.tif 000003
ここで、PCMAX, kは、当該アップリンク・コンポーネントキャリアkにおけるUEの最大送信電力であり、PPUSCH, kは、当該アップリンク・コンポーネントキャリアkにおけるPUSCHの推定送信電力である。【０００６】
タイプ２のパワーヘッドルームは、アップリンク・コンポーネントキャリアにおいてPUSCH及びPUCCHが同時送信される場合に対応し、以下の式（２）により計算される。
【数２】
2014115196.tif 000004
ここで、PCMAX, k及びPPUSCH, kは式（１）に関して定義した通りであり、PPUCCH, kは当該アップリンク・コンポーネントキャリアkにおけるPUCCHの推定送信電力である。【０００７】
既に述べたように、セカンダリ・サービングセルは、PUCCHを送信しない。したがって、セカンダリ・サービングセル（つまり、セカンダリ・コンポーネントキャリア（SCC））は、常にタイプ１PHRを報告する。一方、プライマリ・サービングセルは、PUCCH及びPUSCHを送信する。したがって、プライマリ・サービングセル（つまり、プライマリ・コンポーネントキャリア（PCC））は、タイプ１パワーヘッドルーム又はタイプ２パワーヘッドルームを報告する。具体的には、プライマリ・サービングセルは、PUCCH及びPUSCHの同時送信が構成された場合に、タイプ２PHRを報告する。【０００８】
図１及び図２は、２つのアップリンク・コンポーネントキャリア、UL_CC#1及びUL_CC#2、のキャリアアグリゲーションを行う場合の各コンポーネントキャリアのパワーヘッドルームを示している。図１は、UL_CC#1及びUL_CC#2ともにタイプ１PHRを送信する例を示している。一方、図２は、UL_CC#1（つまり、PCC）においてPUCCH及びPUSCHの同時送信が構成され、UL_CC#1においてタイプ２PHRを報告する例を示している。図１及び２、並びに上述の式（１）及び（２）から明らかであるように、パワーヘッドルームは、UEの送信電力マージンを意味する。
【先行技術文献】
【非特許文献】
【０００９】
【非特許文献１】3GPP TS 36.321 V10.6.0 (2012-09), "Evolved Universal Terrestrial Radio Access (E-UTRA); Medium Access Control (MAC) protocol specification (Release 10)"
【発明の概要】
【発明が解決しようとする課題】
【００１０】
本件の発明者は、アップリンクCAを行う際のPHRについて検討し、アップリンクCAを行う際のPHRについていくつかの課題を見出し、そしてアップリンクCAに適したPHRのいくつかの改良を考案した。【００１１】
例えば、上述したように、アップリンクCAをサポートし且つPUSCH及びPUCCHの同時送信をサポートするUEによって送信される extended PHRは、活性化された複数のアップリンク・コンポーネントキャリアの各々に関する最大送信電力情報PCMAX, k及びパワーヘッドルームレベル情報PHkを含む。すなわち、２つのアップリンク・コンポーネントキャリアUL_CC#1及びUL_CC#2のキャリアアグリゲーションの場合、UEは、UL_CC#1に関するPH1及びPCMAX, 1、並びにUL_CC#2に関するPH2及びPCMAX, 2を送信しなければならない。しかしながら、例えば、UEがPHRにおいて送信するべきデータ量は小さいほうが好ましいかもしれない。【００１２】
また、例えば、eNBは、アップリンク無線リソース（つまり、物理リソースブロック）のスケジューリングをUEからのPHRに基づいて行う。したがって、例えば、PHRの内容は、eNBがスケジューリングを行う際の処理量（処理負荷）を軽減できるように決定されるほうが好ましいかもしれない。【００１３】
したがって、本発明の目的は、アップリンクCAに適したPHRの改良に寄与することが可能な移動局、基地局、パワーヘッドルーム報告の送信方法及び受信方法、並びにプログラムを提供することである。
【課題を解決するための手段】
【００１４】
第１の態様では、移動局は、無線通信部及び制御部を含む。前記無線通信部は、活性化された第１および第２のアップリンクキャリアを同時に使用して基地局と通信する能力を有する。前記制御部は、パワーヘッドルーム報告を前記基地局に送信するよう構成されている。ここで、前記パワーヘッドルーム報告は、前記第１のアップリンクキャリアにおける前記移動局の第１の最大送信電力と前記第２のアップリンクキャリアにおける前記移動局の第２の最大送信電力との差分電力を示す第１の情報要素を含む。【００１５】
第２の態様では、移動局におけるパワーヘッドルーム報告の送信方法は、活性化された第１および第２のアップリンクキャリアに関するパワーヘッドルーム報告を基地局に送信することを含む。ここで、前記パワーヘッドルーム報告は、前記第１のアップリンクキャリアにおける前記移動局の第１の最大送信電力と前記第２のアップリンクキャリアにおける前記移動局の第２の最大送信電力との差分電力を示す第１の情報要素を含む。【００１６】
第３の態様では、基地局は、無線通信部及び制御部を含む。前記無線通信部は、活性化された第１および第２のアップリンクキャリアを同時に使用して移動局と通信する能力を有する。前記制御部は、パワーヘッドルーム報告を前記移動局から受信するよう構成されている。ここで、前記パワーヘッドルーム報告は、前記第１のアップリンクキャリアにおける前記移動局の第１の最大送信電力と前記第２のアップリンクキャリアにおける前記移動局の第２の最大送信電力との差分電力を示す第１の情報要素を含む。【００１７】
第４の態様では、基地局におけるパワーヘッドルーム報告の受信方法は、活性化された第１および第２のアップリンクキャリアに関するパワーヘッドルーム報告を移動局から受信することを含む。ここで、前記パワーヘッドルーム報告は、前記第１のアップリンクキャリアにおける前記移動局の第１の最大送信電力と前記第２のアップリンクキャリアにおける前記移動局の第２の最大送信電力との差分電力を示す第１の情報要素を含む。【００１８】
第５の態様では、プログラムは、上述した第２の態様に係るパワーヘッドルーム報告の送信方法をコンピュータに行わせるための命令群を含む。【００１９】
第６の態様では、プログラムは、上述した第４の態様に係るパワーヘッドルーム報告の受信方法をコンピュータに行わせるための命令群を含む。【００２０】
第７の態様では、移動局は、無線通信部及び制御部を含む。前記無線通信部は、第１および第２のアップリンクキャリアを含む複数のアップリンクキャリアのアップリンク・キャリアアグリゲーションをサポートするよう構成されている。前記制御部は、前記アップリンク・キャリアアグリゲーションが行われているときのパワーヘッドルーム報告を基地局に送信するよう構成されている。ここで、前記パワーヘッドルーム報告は、前記第１のアップリンクキャリアにおける第１のパワーヘッドルームレベルを示す情報要素、及び前記第２のアップリンクキャリアにおける第２のパワーヘッドルームレベルを示す情報要素を共に含むが、前記第１のアップリンクキャリアにおける前記移動局の最大送信電力を示す情報要素、及び前記第２のアップリンクキャリアにおける前記移動局の最大送信電力を示す情報要素を共に含まない。【００２１】
第８の態様では、基地局は、無線通信部及び制御部を含む。前記無線通信部は、第１および第２のアップリンクキャリアを含む複数のアップリンクキャリアのアップリンク・キャリアアグリゲーションをサポートするよう構成されている。前記制御部は、前記アップリンク・キャリアアグリゲーションが行われているときのパワーヘッドルーム報告を移動局から受信するよう構成されている。ここで、前記パワーヘッドルーム報告は、前記第１のアップリンクキャリアにおける第１のパワーヘッドルームレベルを示す情報要素、及び前記第２のアップリンクキャリアにおける第２のパワーヘッドルームレベルを示す情報要素を共に含むが、前記第１のアップリンクキャリアにおける前記移動局の最大送信電力を示す情報要素、及び前記第２のアップリンクキャリアにおける前記移動局の最大送信電力を示す情報要素を共に含まない。
【発明の効果】
【００２２】
上述の態様によれば、アップリンクCAに適したPHRの改良に寄与することが可能な移動局、基地局、パワーヘッドルーム報告の送信方法及び受信方法、並びにプログラムを提供できる。
【図面の簡単な説明】
【００２３】
【図１】背景技術に係るパワーヘッドルームの定義を示す図である。
【図２】背景技術に係るパワーヘッドルームの定義を示す図である。
【図３】第１の実施形態に係るアップリンク・キャリアアグリゲーションを行う無線通信システムを示す図である。
【図４】第１の実施形態に係る移動局の構成例を示すブロック図である。
【図５】第１の実施形態に係る基地局の構成例を示すブロック図である。
【図６】第１の実施形態に係るパワーヘッドルーム報告の送受信手順の一例を示すシーケンス図である。
【発明を実施するための形態】
【００２４】
以下では、具体的な実施形態について、図面を参照しながら詳細に説明する。各図面において、同一又は対応する要素には同一の符号が付されており、説明の明確化のため、必要に応じて重複説明は省略される。
【００２５】
＜第１の実施形態＞
図３は、本実施形態に係る無線通信システムを示している。本実施形態に係る無線通信システムは、移動局（UE）１及び基地局（eNB）２を含む。UE１及びeNB２は、少なくとも２つのコンポーネントキャリアを用いたアップリンク・キャリアアグリゲーションをサポートする。UE１は、少なくとも２つの２つのアップリンク・コンポーネントキャリアUL_CC#1及びUL_CC#2においてeNB２に送信する。以下では、説明の容易化のために、２コンポーネントキャリアのキャリアアグリゲーション（CA）について主に説明する。図１の例では、第１のキャリアUL_CC#1はプライマリ・コンポーネントキャリアに指定されており、第２のキャリアUL_CC#2はセカンダリ・コンポーネントキャリアに指定されている。つまり、UE１は、第１のキャリアUL_CC#1においてPUCCH及びPUSCHを送信することができ、第２のキャリアUL_CC#1においてPUSCHを送信することができる。
【００２６】
図４は、UE１の構成例を示すブロック図である。無線通信部１０１は、無線トランシーバであり、アップリンクCAをサポートし、活性化された第１および第２のアップリンクキャリア（UL_CC#1及びUL_CC#2）を同時に使用してeNB２と通信する能力を有する。制御部１０２は、活性化されたキャリアUL_CC#1及びUL_CC#2に関するPHRをeNB２に送信する。ここで、PHRは、第１のキャリアUL_CC#1におけるUE１の最大送信電力PCMAX, 1と第2のキャリアUL_CC#2におけるUE１の最大送信電力PCMAX, 2との差分電力（相対電力）ΔPCMAXを示す情報を含む。差分ΔPCMAXは、以下の式（３）により定義される。
【数３】
2014115196.tif 000005
【００２７】
PHRは、第１のキャリアUL_CC#1におけるUE１のパワーヘッドルームレベルPH1（つまり、PHtype1 ,1又はPHtype2, 1）、及び第２のキャリアUL_CC#2におけるUE１のパワーヘッドルームレベルPH2（つまり、PHtype1, 2）を含んでもよい。具体的には、本実施形態のPHRは、PH1、PH2、及びΔPCMAXの合計３つの情報要素を含んでいればよい。
【００２８】
図５は、eNB２の構成例を示すブロック図である。無線通信部２０１は、無線トランシーバであり、アップリンクCAをサポートし、活性化された第１および第２のアップリンクキャリア（UL_CC#1及びUL_CC#2）を同時に使用してUE１と通信する能力を有する。制御部２０２は、上述したPHRをUE１から受信する。制御部２０２は、UE１から受信したPHRを用いて、アップリンク無線リソースをUE１に割り当てることを含むスケジューリングを行なってもよい。
【００２９】
図６は、本実施形態に係るPHRの送受信手順の一例を示すシーケンス図である。ステプＳ１０では、eNB２は、セカンダリ・コンポーネントキャリアとしての第２のキャリアUL_CC#2を活性化する。言い換えると、eNB２は、セカンダリ・サービングセルを活性化し、アップリンクCAを開始する。ステップＳ１１では、UE１及びeNB２は、アップリンクCAを行う。ステップＳ１２では、UE１は、PHRをeNB２に送信する。上述したように、当該PHRは、第１及び第２のキャリアにおけるUE１の最大送信電力の差分ΔPCMAX, cを含む。
【００３０】
上述したように、本実施形態では、UE１は、最大送信電力の差分ΔPCMAXを含む改良されたPHRを送信する。これにより、本実施形態は、一例において、本実施形態のPHRは、PH1、PH2、及びΔPCMAXの合計３つの情報要素を含んでいればよい。この場合、本実施形態は、PH1、PH2、PCMAX, 1、及びPCMAX, 2の合計４つの情報要素を送信する場合に比べて、PHRのデータ量を削減できる。
【００３１】
また、他の例において、UE１が送信するPHRの情報要素数は、3GPP Release 10に規定されたextended PHRと同じであってもよい。この場合、UE１は、3GPP Release 10のPHRに含まれる２つの情報要素PCMAX, 1、及びPCMAX, 2に代えて、ΔPCMAX及びゼロ（又はその他の無効値）を送ればよい。これにより、eNB２はアップリンク・スケジューリングのためにΔPCMAXを計算する必要がないため、eNB２の処理量（処理負荷）を削減することができる。
【００３２】
続いて以下では、本実施形態に係るPHRに基づくeNB２でのアップリンク・スケジューリングの具体例について説明する。一例として、活性化された（アグリゲートされた）複数のアップリンク・コンポーネントキャリアにおけるUE１の推定送信電力（つまり、PPUSCH, k、又はPPUSCH, k + PPUCCH, k）を考慮した各コンポーネントキャリアｋの修正されたPHは、以下の式（４）により定義することができる。式（４）から明らかであるように、コンポーネントキャリアｋの修正されたPH（つまりPHA,k）は、コンポーネントキャリアｋにおけるUE１の最大送信電力PCAMX,kからNcell個のコンポーネントキャリアにおけるUE１の送信電力の合計を差し引いた値として定義されている。例えば、UE１の合計送信電力に関する制約、又は２以上のコンポーネントキャリアが１つのパワーアンプにより増幅される等の物理構成上の制約から、複数のコンポーネントキャリアの送信電力が考慮されなければならない。
【数４】
2014115196.tif 000006
ここで、添字iはサブフレーム番号を示し、Ncellはアグリゲーションされたコンポーネントキャリア数（セル数）を示す。
【００３３】
さらに、式（４）を用いることで、コンポーネントキャリアｋにおいてUE１に対して追加的に割り当て可能なアップリンク無線リソース量（つまり、アップリンク・リソースブロック量）を以下の式（５）により評価することができる。
【数５】
2014115196.tif 000007
【００３４】
式（５）から明らかなように、式（５）の左辺に記載された比率RRB, kは、アップリンク・コンポーネントキャリアkにおける修正されたPHとUE１の送信電力の比率として定義されている。したがって、式（５）の比率RRB, kを用いることで、eNB２は、サブフレームiにおいてUE１に割り当てたリソースブロック数のRRB, k倍を、UE１に対して追加的に割り当て可能であると判断することができる。
【００３５】
さらに、式（５）の定義によれば、アグリゲーションされたアップリンク・コンポーネントキャリア数が２（つまり、Ncell＝２）であるとき、第１のコンポーネントキャリア（ｋ＝１）についてのΔPCMAX, 1(i)はゼロであり、ΔPCMAX, 2(i)は式（３）に示した差分ΔPCMAXに相当する。また、第２のコンポーネントキャリア（ｋ＝２）についてのΔPCMAX, 1(i)は式（３）に示した差分ΔPCMAXの符号反転（-ΔPCMAX）に相当し、ΔPCMAX, 2(i)はゼロである。したがって、eNB２は、PH1、PH2、及びΔPCMAXの合計３つの情報要素を含むPHRをUE１から受信することにより、式（５）に基づいて、２つのアップリンク・コンポーネントキャリアUL_CC#1及びUL_CC#2におけるUE１に対するスケジューリングを行うことができる。
【００３６】
さらにまた、本実施形態は、例えば、アグリゲーションされたアップリンク・コンポーネントキャリア数が３以上であるときにもPHRのデータ量を削減できる。具体的には、アップリンク・コンポーネントキャリア数がNcell（Ncellは１以上の整数）であるとき、PHRは、１つのリファレンスコンポーネントキャリアの最大送信電力と他の(Ncell-1)個のコンポーネントキャリアの最大送信電力との間の合計(Ncell - 1)個の差分電力（相対電力）を示せばよい。例えばリファレンスコンポーネントキャリアが第１のキャリアUL_CC#1あるとき、PHRは、ΔPCMAX, 2（= PCMAX, 2 - PCMAX, 1）, ΔPCMAX, 3（= PCMAX, 3 - PCMAX, 1）,・・・, 及びΔPCMAX, Ncell（= PCMAX, Ncell - PCMAX, 1）を含めばよい。Ncell = 3であるなら、PHRは、ΔPCMAX, 2及びΔPCMAX,3を含めばよい。
【００３７】
なお、第２のキャリアUL_CC#2及び第３のキャリアUL_CC#3について追加的に割り当て可能なアップリンク無線リソース量RRB, 2及びRRB, 3を式（５）に従って計算するためには、PCMAX, 2とPCMAX, 3の差分電力（つまり、PCMAX, 3 - PCMAX, 2又はPCMAX, 2 - PCMAX, 3）が必要であるが、この値は、ΔPCMAX, 2及びΔPCMAX,3を用いて容易に計算することができる。すなわち、PCMAX, 3 - PCMAX, 2 = ΔPCMAX, 3 - ΔPCMAX,2の関係が成り立つ。このため、PHRは、Ncell個のコンポーネントキャリアの全ての組み合わせに関する差分電力（つまり、合計でNcell*(Ncell - 1) / 2個）を示す必要ななく、リファレンスコンポーネントキャリアと他の(Ncell-1)個のコンポーネントキャリアとの間の合計(Ncell - 1)個の差分電力を示せばよい。したがって、本実施形態は、例えば、アップリンク・コンポーネントキャリア数が３以上であるときにもPHRのデータ量を削減できる。
【００３８】
また、アグリゲーションされたアップリンク・コンポーネントキャリア数が３以上であるときも、UE１が送信するPHRの情報要素数は、3GPP Release 10に規定されたextended PHRと同じであってもよい。この場合、UE１は、3GPP Release 10のPHRに含まれるNcell個の情報要素PCMAX, 1、PCMAX, 2・・・、及びPCMAX, Ncellに代えて(Ncell - 1)個の差分電力（例えば、ΔPCMAX, 2, ΔPCMAX, 3,・・・, 及びΔPCMAX, Ncell）と、１つのゼロ（又はその他の無効値）を送ればよい。これにより、eNB２はアップリンク・スケジューリングのために(Ncell - 1)個の差分電力を計算する必要がないため、eNB２の処理量（処理負荷）を削減することができる。
【００３９】
＜第２の実施形態＞
本実施形態では、上述した第１の実施形態の変形について説明する。本実施形態に係る無線通信システムの構成は、図３に示した第１の実施形態の例と同様である。具体的には、本実施形態でも、UE１及びeNB２は、２つのアップリンク・コンポーネントキャリアUL_CC#1及びUL_CC#2のキャリアアグリゲーションを行う。さらに、本実施形態では、アップリンク・コンポーネントキャリアｋにおけるPUSCHの送信電力PPUSCH, kの決定に利用される"UE１とeNB２の間のパスロスPLk"及び"パスロス補償に関するパラメタαk(j)"に近似を導入する。この近似の導入によって、eNB２におけるUE１のアップリンク・スケジューリングがさらに少ないパラメタによって行えるようになる。これにより、本実施形態では、UE１からのPHRに含まれるべき情報要素がさらに削減される。
【００４０】
サブフレームiでのPUSCH送信のためのUE１の送信電力PPUSCH, k(i)は、以下の式（６）により定義される（3GPP TS 36.213 のセクション5.1.1を参照）。
【数６】
2014115196.tif 000008
ここで、各変数の定義は以下の通りである。
・k：アップリンク・コンポーネントキャリア（UL_CC）のインデックス；
・PPUSCH, k(i)：アップリンク・コンポーネントキャリアk（UL_CC#k）、サブフレームiにおけるUE１のPUSCH送信電力；
・PCMAX, k(i)： UL_CC#k、サブフレームiにおけるUE１の最大送信電力；
・MPUSCH, k(i)： UL_CC#k、サブフレームiにおけるUE１への割り当てリソースブロック数；
・PO_PUSCH, k(j)：UL_CC#kにおけるPUSCHの所要signal to interference ratio (SIR)に関するパラメタ；
・αk(j)：UL_CC#kにおけるパスロス補償に関するパラメタ；
・PLk：UL_CC#kにおけるUE１とeNB２の間のパスロス；
・ΔTF, k(i)：UL_CC#k、サブフレームiにおけるmodulation and coding scheme (MCS)に応じて変動するパラメタ；
・fk(i)：UL_CC#k、サブフレームiにおけるクローズドループ送信電力コマンド
【００４１】
本実施形態では、第１に、パスロスPLkについて以下の近似（仮定）が導入される。すなわち、コンポーネントキャリアUL_CC#2のパスロス・リファレンスがコンポーネントキャリアUL_CC#1であると仮定される。これにより、UE１において、キャリアUL_CC#2のパスロスPL2がキャリアUL_CC#1のパスロスPL1によって代用される（つまり、PL1 = PL2）。
【００４２】
第２に、パラメタαk(j)に関して以下の近似（仮定）が導入される。すなわち、キャリアUL_CC#1に関するパラメタα1(j)は、キャリアUL_CC#2に関するパラメタα2(j)と等しいと仮定される（つまり、α1(j) = α2(j)）。
【００４３】
上述した２つの近似（仮定）と式（６）を利用することにより、第２のコンポーネントキャリアUL_CC#2に関するタイプ1パワーヘッドルームレベルPHtype1, 2(i)は、以下の式（７）のように変形できる。
【数７】
2014115196.tif 000009
【００４４】
式（７）中の右辺の最後の式の変形にはPL1 = PL2、及びα1(j) = α2(j)の近似を適用している。また、最終の右辺の第３項の括弧内に含まれる変数は全てeNB２からUE１に対する設定値であり、eNB２において計算可能な既知の値である。つまり、第２のコンポーネントキャリアUL_CC#2に関するタイプ1パワーヘッドルームレベルPHtype1, 2(i)に関して以下の式（８）が成り立つ。
【数８】
2014115196.tif 000010
【００４５】
式（８）は、第１の実施形態で述べたUE1のPHRに含まれる３つの情報要素、すなわちPH1、PH2及びΔPCMAX、を含んでいる。この事実から、PL1 = PL2、及びα1(j) = α2(j)の近似を導入することで、UE１のPHRに含まれる３つの情報要素、PH1、PH2、及びΔPCMAXの中から更に１つの情報要素を削減可能であることが理解できる。
【００４６】
例えば、UE１は、PHRの情報要素として、( PH1(i)及びΔPCMAX,2(i) )のみ送信すれば十分である。なぜならば、受信した二つの情報要素(PH1(i)及びΔPCMAX,2(i) )と式（８）を用いて、送信されなかった情報要素PH2(i) をeNB２において復元可能だからである。このようにして復元されたPH2(i) と、端末からの報告値(PH1(i)及びΔPCMAX,2(i) )を用いて、eNB２の制御部２０２は、第１の実施形態で述べたUE１のアップリンク・スケジューリングを行うことができる。
【００４７】
また、例えば、UE１は、PHRの情報要素として、(PH1(i)及びPH2(i) )のみ送信することも可能である。この場合、eNB２は、式（８）を用いてΔPCMAX,2(i)を復元することができ、第１の実施形態で述べたUE１のアップリンク・スケジューリングを行うことができる。また、UE１は、PHRの情報要素として、(ΔPCMAX,2(i)及びPH2(i) )のみ送信してもよい。この場合、eNB２は、式（８）を用いてPH1(i)を復元することができ、第１の実施形態で述べたUE１のアップリンク・スケジューリングを行うことができる。
【００４８】
＜その他の実施形態＞
第１及び第２の実施形態で述べたUE１によるPHRの送信方法、並びにeNB２によるPHRの受信方法及びスケジューリング方法は、いずれもApplication Specific Integrated Circuit（ASIC）を含む半導体処理装置を用いて実現されてもよい。また、これらの方法は、少なくとも１つのプロセッサ（e.g. マイクロプロセッサ、Micro Processing Unit（MPU）、Digital Signal Processor（DSP））を含むコンピュータシステムにプログラムを実行させることによって実現されてもよい。具体的には、フローチャート及びシーケンス図に示されたアルゴリズムをコンピュータシステムに行わせるための命令群を含む１又は複数のプログラムを作成し、当該プログラムをコンピュータに供給すればよい。
【００４９】
このプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００５０】
上述した第１及び第２の実施形態は、主にLTE-Advancedシステムに関して説明を行った。しかしながら、これらの実施形態は、LTE-Advanced以外のキャリアアグリゲーションを行う無線通信システムに適用されてもよい。
【００５１】
さらに、上述した実施形態は本件発明者により得られた技術思想の適用に関する例に過ぎない。すなわち、当該技術思想は、上述した実施形態のみに限定されるものではなく、種々の変更が可能であることは勿論である。
【００５２】
この出願は、２０１３年１月２５日に出願された日本出願特願２０１３−０１２１９６を基礎とする優先権を主張し、その開示の全てをここに取り込む。
【符号の説明】
【００５３】
１  移動局
２  基地局
１０１  無線通信部
１０２  制御部
２０１  無線通信部
２０２  制御部
【図１】
2014115196.tif 000013
【図２】
2014115196.tif 000014
【図３】
2014115196.tif 000015
【図４】
2014115196.tif 000016
【図５】
2014115196.tif 000017
【図６】
2014115196.tif 000018
【手続補正書】
【提出日】平成27年6月26日(2015.6.26)
【手続補正２】
【補正対象書類名】特許請求の範囲
【補正対象項目名】全文
【補正方法】変更
【補正の内容】
【特許請求の範囲】
【請求項１】
移動局におけるパワーヘッドルーム報告の送信方法であって、
活性化された第１および第２のアップリンクキャリアに関するパワーヘッドルーム報告を基地局に送信することを備え、
前記パワーヘッドルーム報告は、前記第１のアップリンクキャリアにおける前記移動局の第１の最大送信電力と前記第２のアップリンクキャリアにおける前記移動局の第２の最大送信電力との差分電力を示す第１の情報要素を含む、
パワーヘッドルーム報告の送信方法。
【請求項２】
前記パワーヘッドルーム報告は、前記第１の最大送信電力を示す情報要素及び前記第２の最大送信電力を示す情報要素を共に含まない、請求項１に記載の方法。
【請求項３】
前記パワーヘッドルーム報告は、前記第１のアップリンクキャリアにおける第１のパワーヘッドルームレベルを示す情報要素及び前記第２のアップリンクキャリアにおける第２のパワーヘッドルームレベルを示す情報要素をさらに含む、請求項１又は２に記載の方法。
【請求項４】
前記パワーヘッドルーム報告は、
前記第１および第２のアップリンクキャリアを含むNcell個のアップリンクキャリアに関し、
前記第１の情報要素に加えて、前記第１および第２のアップリンクキャリアを除く（Ncell - 2）個のアップリンクキャリアの各々における前記移動局の最大送信電力と前記第１の最大送信電力との差分電力を示す合計（Ncell - 2）個の情報要素をさらに含む、
請求項１〜３のいずれか１項に記載の方法。
【請求項５】
基地局におけるパワーヘッドルーム報告の受信方法であって、
活性化された第１および第２のアップリンクキャリアに関するパワーヘッドルーム報告を移動局から受信することを備え、
前記パワーヘッドルーム報告は、前記第１のアップリンクキャリアにおける前記移動局の第１の最大送信電力と前記第２のアップリンクキャリアにおける前記移動局の第２の最大送信電力との差分電力を示す第１の情報要素を含む、
パワーヘッドルーム報告の受信方法。
【請求項６】
前記パワーヘッドルーム報告は、前記第１の最大送信電力を示す情報要素及び前記第２の最大送信電力を示す情報要素を共に含まない、請求項５に記載の方法。
【請求項７】
前記パワーヘッドルーム報告は、前記第１のアップリンクキャリアにおける第１のパワーヘッドルームレベルを示す情報要素及び前記第２のアップリンクキャリアにおける第２のパワーヘッドルームレベルを示す情報要素をさらに含む、請求項５又は６に記載の方法。
【請求項８】
前記パワーヘッドルーム報告は、
前記第１および第２のアップリンクキャリアを含むNcell個のアップリンクキャリアに関し、
前記第１の情報要素に加えて、前記第１および第２のアップリンクキャリアを除く（Ncell - 2）個のアップリンクキャリアの各々における前記移動局の最大送信電力と前記第１の最大送信電力との差分電力を示す合計（Ncell - 2）個の情報要素をさらに含む、
請求項５〜７のいずれか１項に記載の方法。
【請求項９】
前記パワーヘッドルーム報告に基づいてアップリンク無線リソースを前記移動局に割り当てることを含むスケジューリングを行うことをさらに備える、請求項５〜８のいずれか１項に記載の方法。
【請求項１０】
前記スケジューリングは、前記第１及び第２のアップリンクキャリアの少なくとも一方において前記移動局に追加的に割当て可能な無線リソース量を計算することを含む、請求項９に記載の方法。
【請求項１１】
移動局であって、
第１および第２のアップリンクキャリアを含む複数のアップリンクキャリアのアップリンク・キャリアアグリゲーションをサポートする無線通信手段と、
前記アップリンク・キャリアアグリゲーションが行われているときのパワーヘッドルーム報告を基地局に送信する制御手段と、
を備え、
前記パワーヘッドルーム報告は、
前記第１のアップリンクキャリアにおける第１のパワーヘッドルームレベルを示す情報要素、及び前記第２のアップリンクキャリアにおける第２のパワーヘッドルームレベルを示す情報要素を共に含むが、
前記第１のアップリンクキャリアにおける前記移動局の最大送信電力を示す情報要素、及び前記第２のアップリンクキャリアにおける前記移動局の最大送信電力を示す情報要素を共に含まない、
移動局。
【請求項１２】
第１および第２のアップリンクキャリアを含む複数のアップリンクキャリアのアップリンク・キャリアアグリゲーションをサポートする無線通信手段と、
前記アップリンク・キャリアアグリゲーションが行われているときのパワーヘッドルーム報告を移動局から受信する制御手段と、
を備え、
前記パワーヘッドルーム報告は、
前記第１のアップリンクキャリアにおける第１のパワーヘッドルームレベルを示す情報要素、及び前記第２のアップリンクキャリアにおける第２のパワーヘッドルームレベルを示す情報要素を共に含むが、
前記第１のアップリンクキャリアにおける前記移動局の最大送信電力を示す情報要素、及び前記第２のアップリンクキャリアにおける前記移動局の最大送信電力を示す情報要素を共に含まない、
基地局。
【国際調査報告】
2014115196.tif 000019
2014115196.tif 000020